(57)【要約】 【課題】  経時および繰返し使用した場合でも、グランドラインとピックアップ基台との当接力が低下することなく、高周波ノイズを抑制することのできる光ピックアップ装置を提供する。【解決手段】  グランドライン２５が形成されるＦＰＣ基板２０を、導電性素材から成るピックアップ基台２１に装着する。ＦＰＣ基板２０の上に、ＦＰＣ基板２０をピックアップ基台２１に対して押え付ける押え部材２２を設ける。ＦＰＣ基板２０と押え部材２２とを固定部材２３でピックアップ基台２１に固定するとき、押え部材２２には、ＦＰＣ基板２０に向かって突出する突出部２６がＦＰＣ基板２０に形成される開口部２４に対応する位置に形成されるので、突出部２６がその弾性力によってグランドライン２５をピックアップ基台２１に対して付勢し接触させる。【選択図】      図２
2005317132.tif 000002
【特許請求の範囲】
【請求項１】
光によって光記録媒体に情報を記録および／または光記録媒体から情報を再生する光ピックアップ装置において、
導電性素材から成るピックアップ基台と、
ピックアップ基台に装着されるフレキシブルプリント基板であって、高周波重畳回路を備えグランドラインが形成されるフレキシブルプリント基板と、
フレキシブルプリント基板をピックアップ基台に対して押え付ける押え部材と、
押え部材をピックアップ基台に装着固定する固定部材とを含み、
押え部材が、
弾性を有する素材から成り、ピックアップ基台を臨んでフレキシブルプリント基板に形成される開口部で露出するグランドラインを、弾性力によってピックアップ基台に対して付勢し接触させることを特徴とする光ピックアップ装置。
【請求項２】
押え部材は、
フレキシブルプリント基板に向かって突出する突出部が、フレキシブルプリント基板に形成される開口部に対応する位置に形成され、グランドラインを、突出部の弾性力によってピックアップ基台に対して付勢し接触させることを特徴とする請求項１記載の光ピックアップ装置。
【請求項３】
押え部材は、
突出部に切欠が形成されることを特徴とする請求項２記載の光ピックアップ装置。
【請求項４】
押え部材が、
金属から成り、
押え部材を臨んでフレキシブルプリント基板に形成される開口部で露出するグランドラインに接触することを特徴とする請求項１〜３のいずれか１つに記載の光ピックアップ装置。
【請求項５】
押え部材の素材である金属が、ステンレス鋼であることを特徴とする請求項４に記載の光ピックアップ装置。
【請求項６】
光によって光記録媒体に情報を記録および／または光記録媒体から情報を再生する光ピックアップ装置において、
導電性素材から成るピックアップ基台と、
ピックアップ基台に装着されるフレキシブルプリント基板であって、高周波重畳回路を備えグランドラインが形成されるフレキシブルプリント基板と、
フレキシブルプリント基板をピックアップ基台に対して押え付ける押え部材と、
押え部材をピックアップ基台に装着固定する固定部材とを含み、
ピックアップ基台には、ピックアップ基台を臨んでフレキシブルプリント基板に形成される開口部で露出するグランドラインに対応してフレキシブルプリント基板に向かって立上がる突起部が形成され、
ピックアップ基台の突起部がグランドラインに接触するようにして、フレキシブルプリント基板がピックアップ基台に装着されることを特徴とする光ピックアップ装置。
【請求項７】
固定部材が、
雄ねじ部材と、ピックアップ基台に形成される雌ねじ部とを含むことを特徴とする請求項１〜６のいずれか１つに記載の光ピックアップ装置。
【請求項８】
固定部材が、押え部材とピックアップ基台とであり、
押え部材に形成される係合凹所がピックアップ基台に形成される係合突起と係合することによって、押え部材がピックアップ基台に装着固定されることを特徴とする請求項１〜６のいずれか１つに記載の光ピックアップ装置。
【発明の詳細な説明】
【技術分野】
【０００１】
本発明は、光ピックアップ装置に関する。
【背景技術】
【０００２】
コンパクトディスク（略称ＣＤ）、デジタルバーサタイルディスク（略称ＤＶＤ）などの光記録媒体に対して情報を記録／再生することに用いられる光ピックアップ装置には、一般的に、半導体レーザから発振される短波長・高出力のシングルモードレーザが使用されている。このレーザのノイズを低減する１つの手法として高周波重畳法がある。高周波重畳法を実現するための高周波重畳回路は、光ピックアップ装置に電力、電気信号等を送るために備えられるフレキシブルプリント基板（略称ＦＰＣ基板）とともに設けられる。
【０００３】
この高周波重畳回路を備える光ピックアップ装置では、不要輻射（高周波ノイズ）が発生するので、この高周波ノイズを抑制することが問題になる。このような問題を解決する従来技術に、光ピックアップ装置のピックアップ基台に金属板を取り付け、該金属板をレーザユニットのグランド部に直接接触させることによって、高周波ノイズを防御するというものがある（たとえば、特許文献１参照）。
【０００４】
しかしながら、特許文献１に開示される技術では、高周波ノイズ低減のために金属板部品を別途作成して組込まなければならず、生産効率を低下させるという問題がある。
【０００５】
したがって、より簡便な高周波ノイズ低減の方法として、導電性素材から成るピックアップ基台全体を大容量のグランドとし、ＦＰＣ基板に形成されるグランドラインをピックアップ基台に接触させることによって、ＦＰＣ基板を伝播する不要輻射を抑制するものがある。
【０００６】
図１１は従来の光ピックアップ装置１の構成を簡略化して示す図であり、図１２は図１１に示す光ピックアップ装置１におけるＦＰＣ基板６の固定方法の概略を示す平面図であり、図１３は図１２に示す切断面線ＸＩＩＩ−ＸＩＩＩから見た断面図である。なお、図１１（ａ）は光ピックアップ装置１の平面図であり、図１１（ｂ）は光ピックアップ装置１の側面図である。
【０００７】
従来の光ピックアップ装置１は、大略、ピックアップ基台２と、ピックアップ基台２上に設けられ、光源である半導体レーザ、コリメータレンズ、立上ミラー、受光素子などの光学部品を備える光学ユニット３と、光学ユニット３に設けられて光源から出射されるレーザ光を不図示の光記録媒体に集光させる対物レンズ４と、高周波重畳回路５と、ピックアップ基台２に装着されるＦＰＣ基板６と、ＦＰＣ基板６をピックアップ基台２に対して押え付ける押え部材７と、押え部材７をピックアップ基台２に装着固定する固定部材８とを含んで構成される。この光ピックアップ装置１は、平行に設けられる１対の案内軸部材９ａ，９ｂによって、たとえば光情報記録再生装置の装置本体に摺動可能に支持される。
【０００８】
ピックアップ基台２は、たとえばアルミニウム合金などの導電性を有する素材から成り、グランドとして利用される。ＦＰＣ基板６は、光ピックアップ装置１の各部に電力供給するとともに、制御用の電気信号などを送るために設けられ、可撓性を有するたとえば樹脂フィルムに電気回路がプリントされて形成される。
【０００９】
ＦＰＣ基板６には、高周波ノイズを、ピックアップ基台２へグランドするためのグランドライン１０が予め形成され、グランドライン１０は、ピックアップ基台２を臨んでＦＰＣ基板６に形成される開口部１１において、ピックアップ基台２を臨んで露出する。開口部１１におけるグランドライン１０は、その平面形状が中央部に空所を有するｏ字状に形成される。またＦＰＣ基板６には、グランドライン１０のｏ字状に形成される中央部の空所に対応する部分に貫通孔であるＦＰＣ固定孔１５が形成される。
【００１０】
押え部材７は、金属たとえばステンレス鋼から成る平板状部材であり、ピックアップ基台２上に装着されるＦＰＣ基板６のさらに上に設けられ、ＦＰＣ基板６をピックアップ基台２に対して押え付けるように設けられる。押え部材７のＦＰＣ基板６に形成される開口部１１に対応する位置には、押え部材７の厚さ方向に貫通する固定孔１２が形成される。固定孔１２は、その径が、グランドライン１０のｏ字状の中央空所部分にほぼ等しい大きさに形成される。
【００１１】
従来の光ピックアップ装置１において固定部材８は、雄ねじ部材１３と、ピックアップ基台２に雄ねじ部材１３に対応するように形成される雌ねじ部１４とで構成される。雄ねじ部材１３を、押え部材６に形成される固定孔１２およびＦＰＣ基板６に形成されるＦＰＣ固定孔１５に挿通させ、ピックアップ基台２に形成される雌ねじ部１４に螺合させて締付けることによって、グランドライン１０が、押え部材７およびＦＰＣ基板６とともにピックアップ基台２に対して付勢されて接触し、高周波ノイズをピックアップ基台２へグランドするように構成される。
【００１２】
しかしながら、単なる雄ねじ部材１３の締付けによる固定では、経時変化により、また光ピックアップ装置１の繰返し移動に伴う振動の負荷により、接合力が低下してゆるみが生じ、グランドライン１０とピックアップ基台２との間に隙間が発生する。このような隙間は、ゆるみ止め加工が施された雄ねじ部材１３または雄ねじ部材１３に接着剤によるゆるみ防止を行っても同様に発生する。このような隙間が発生することによって、フレキシブル基板６のグランドライン１０とピックアップ基台２との間の当接力が弱くなるので、ピックアップ基台２全体のグランド効果が低下して高周波ノイズが増大するという問題がある。
【００１３】
【特許文献１】特開２０００−６７４５４号公報
【発明の開示】
【発明が解決しようとする課題】
【００１４】
本発明の目的は、経時および繰返し使用に関わらず、グランドラインとピックアップ基台との当接力が低下することなく、高周波ノイズを抑制することのできる光ピックアップ装置を提供することである。
【課題を解決するための手段】
【００１５】
本発明は、光によって光記録媒体に情報を記録および／または光記録媒体から情報を再生する光ピックアップ装置において、
導電性素材から成るピックアップ基台と、
ピックアップ基台に装着されるフレキシブルプリント基板であって、高周波重畳回路を備えグランドラインが形成されるフレキシブルプリント基板と、
フレキシブルプリント基板をピックアップ基台に対して押え付ける押え部材と、
押え部材をピックアップ基台に装着固定する固定部材とを含み、
押え部材が、
弾性を有する素材から成り、ピックアップ基台を臨んでフレキシブルプリント基板に形成される開口部で露出するグランドラインを、弾性力によってピックアップ基台に対して付勢し接触させることを特徴とする光ピックアップ装置である。
【００１６】
また本発明は、押え部材は、
フレキシブルプリント基板に向かって突出する突出部が、フレキシブルプリント基板に形成される開口部に対応する位置に形成され、グランドラインを、突出部の弾性力によってピックアップ基台に対して付勢し接触させることを特徴とする。
また本発明は、押え部材は、突出部に切欠が形成されることを特徴とする。
【００１７】
また本発明は、押え部材が、
金属から成り、
押え部材を臨んでフレキシブルプリント基板に形成される開口部で露出するグランドラインに接触することを特徴とする。
また本発明は、押え部材の素材である金属が、ステンレス鋼であることを特徴とする。
【００１８】
本発明は、光によって光記録媒体に情報を記録および／または光記録媒体から情報を再生する光ピックアップ装置において、
導電性素材から成るピックアップ基台と、
ピックアップ基台に装着されるフレキシブルプリント基板であって、高周波重畳回路を備えグランドラインが形成されるフレキシブルプリント基板と、
フレキシブルプリント基板をピックアップ基台に対して押え付ける押え部材と、
押え部材をピックアップ基台に装着固定する固定部材とを含み、
ピックアップ基台には、ピックアップ基台を臨んでフレキシブルプリント基板に形成される開口部で露出するグランドラインに対応してフレキシブルプリント基板に向かって立上がる突起部が形成され、
ピックアップ基台の突起部がグランドラインに接触するようにして、フレキシブルプリント基板がピックアップ基台に装着されることを特徴とする光ピックアップ装置である。
【００１９】
また本発明は、固定部材が、雄ねじ部材と、ピックアップ基台に形成される雌ねじ部とを含むことを特徴とする。
【００２０】
また本発明は、固定部材が、押え部材とピックアップ基台とであり、
押え部材に形成される係合凹所がピックアップ基台に形成される係合突起と係合することによって、押え部材がピックアップ基台に装着固定されることを特徴とする。
【発明の効果】
【００２１】
本発明によれば、経時および繰返し使用によってもＦＰＣ基板のグランドラインとピックアップ基台との接続がゆるむことがないので、長期にわたり確実に不要輻射（高周波ノイズ）を抑制することのできる光ピックアップ装置が実現される。
【発明を実施するための最良の形態】
【００２２】
図１は本発明の実施の第１形態である光ピックアップ装置におけるＦＰＣ基板２０の固定部分の構成を簡略化して示す平面図であり、図２は図１に示す切断面線ＩＩ−ＩＩから見た断面図である。本発明の光ピックアップ装置は、ＦＰＣ基板２０の固定部分を除いて、前述の図１１に示す光ピックアップ装置１と同一に構成されるので、実施の第１形態および以降の実施形態における光ピックアップ装置の全体構成を示す図面および説明を省略する。
【００２３】
本実施の形態における光ピックアップ装置のＦＰＣ基板２０の固定部分は、導電性素材から成るピックアップ基台２１と、ピックアップ基台２１に装着されるＦＰＣ基板２０と、ＦＰＣ基板２０をピックアップ基台に対して押え付ける押え部材２２と、押え部材２２をピックアップ基台に装着固定する固定部材２３とを含んで構成される。
【００２４】
ＦＰＣ基板２０は、前述の光ピックアップ装置１に備わるＦＰＣ基板６と同一に構成されるので説明を省略する。ピックアップ基台２１は、導電性を有する素材から成り、その素材は特に限定されないけれども、たとえばアルミニウム合金、マグネシウム合金、銅合金などが用いられる。導電性素材から成るピックアップ基台２１は、ピックアップ基台２１を臨んでＦＰＣ基板２０に形成される開口部２４において露出するＦＰＣ基板２０のグランドライン２５が接触し、高周波ノイズをグランドするように作用する。
【００２５】
押え部材２２は、弾性を有する素材、たとえばステンレス鋼、鉄合金、銅合金などから成り、中でも適度なばね性と優れた耐食性とを有するステンレス鋼が素材として好適に用いられる。本実施の形態の押え部材２２は、ＦＰＣ基板２１に形成される開口部２４であってグランドライン２５が露出する開口部２４に対応する位置に、ＦＰＣ基板２０に向かって突出する突出部２６が形成されることを特徴とする。押え部材２２における突出部２６の形成は、たとえばプレス加工などによって実現することができる。
【００２６】
押え部材２２は、ピックアップ基台２１に装着されるＦＰＣ基板２０のさらに上に設けられ、ＦＰＣ基板２０をピックアップ基台２１に押え付けるように作用する。この押え部材２２は、突出部２６が形成されることによって、突出部２６において一層強い弾性すなわちばね性を有するようになるので、ＦＰＣ基板２０およびＦＰＣ基板２０に形成されるグランドライン２５を開口部２４においてピックアップ基台２１に対して押え付ける力を向上させることができる。
【００２７】
固定部材２３は、雄ねじ部材２７と、ピックアップ基台２１に形成される雌ねじ部２８とを含んで構成される。雄ねじ部材２７を、開口部２４に対応するように押え部材２２およびＦＰＣ基板２０にそれぞれ形成される固定孔２９およびＦＰＣ固定孔３０に挿通させ、雌ねじ部２８に螺合させて締付けることによって、グランドライン２５が、押え部材２２に形成される突出部２６の弾性力によってピックアップ基台２１に対して付勢され接触させられる。押え部材２２に形成される突出部２６の弾性力は、グランドライン２５をピックアップ基台２１に対して付勢するだけでなく、その反発力を雄ねじ部材２７のねじ頭２７ａに作用させることができるので、雄ねじ部材２７のゆるみ止め効果を奏することができる。
【００２８】
このように押え部材２２に突出部２６を形成するという簡単な構成で、グランドライン２５を、ピックアップ基台２１に対して充分かつ確実にグランドさせるとともに、経時によってもまた繰返し使用によっても、固定部材２３がゆるんでグランドライン２５とピックアップ基台２１との間に隙間を生じることがなく、長期にわたり確実に高周波ノイズを抑制することのできる光ピックアップ装置が実現される。
【００２９】
図３は本発明の実施の第２形態である光ピックアップ装置におけるＦＰＣ基板２０の固定部分の構成を簡略化して示す平面図であり、図４は図３に示す切断面線ＩＶ−ＩＶから見た断面図である。本実施形態のＦＰＣ基板２０固定部分の構成は、実施の第１形態の該当部分に類似し、対応する部分については同一の参照符号を付して説明を省略する。
【００３０】
本実施形態の光ピックアップ装置では、押え部材３１に形成される突出部３２に切欠部３３が形成されることを特徴とする。突出部３２に切欠部３３が形成されることによって、突出部３２の剛性が緩和されて変形能が向上するので、弾性力が一層効果的に作用する。したがって、押え部材３１の突出部３２が、ＦＰＣ基板２０およびグランドライン２５をピックアップ基台２１に対して過度に押え付けることがなくなるので、ＦＰＣ基板２０およびグランドライン２５を損傷するおそれが無く、より円滑に高周波ノイズを抑制することが可能になる。
【００３１】
図５は本発明の実施の第３形態である光ピックアップ装置におけるＦＰＣ基板３５の固定部分の構成を簡略化して示す平面図であり、図６は図５に示す切断面線ＶＩ−ＶＩから見た断面図である。本実施形態のＦＰＣ基板３５の固定部分の構成は、実施の第２形態の該当部分に類似し、対応する部分については同一の参照符号を付して説明を省略する。
【００３２】
本実施形態のＦＰＣ基板３５は、ピックアップ基台２１を臨んで形成される開口部２４に対応し、押え部材３１を臨む側にも第２の開口部３６が形成されることを特徴とする。したがって、グランドライン２５のｏ字状に形成される部分が、開口部２４および第２の開口部３６において、ピックアップ基台２１と押え部材３１との両者を臨んで露出するように構成される。このことによって、押え部材３１を介して固定部材２３でグランドライン２５をピックアップ基台２１に対して押し付けるとき、導電性を有するステンレス鋼から成る押え部材３１も、グランドライン２５に接触し、押え部材３１および雄ねじ部材２７を通じてピックアップ基台２１にグランドすることができるので、高周波ノイズを確実に抑制することが可能になる。
【００３３】
図７は本発明の実施の第４形態である光ピックアップ装置におけるＦＰＣ基板２０の固定部分の構成を簡略化して示す平面図であり、図８は図７に示す切断面線ＶＩＩＩ−ＶＩＩＩから見た断面図である。本実施形態のＦＰＣ基板２０の固定部分の構成は、実施の第１形態の該当部分に類似し、対応する部分については同一の参照符号を付して説明を省略する。
【００３４】
本実施の形態において注目すべきは、ピックアップ基台４１には、ピックアップ基台４１を臨んでＦＰＣ基板２０に形成される開口部２４で露出するグランドライン２５に対応してＦＰＣ基板２０に向かって立上がる突起部４２が形成され、この突起部４２がグランドライン２５に接触するようにして、ＦＰＣ基板２０がピックアップ基台４１に装着されることである。このことによって、固定部材２３である雄ねじ部材２７をピックアップ基台４１の雌ねじ部２８へ締付けるとき、実施の第１形態における押え部材２２の突出部２６に代えて、ピックアップ基台４１の突起部４２が、押え部材４０とピックアップ基台４１との間に挟持されるＦＰＣ基板２０を局所的に強く押圧することができるので、グランドライン２５が確実にピックアップ基台４１にグランドするとともに、経時および繰返し使用に際してもグランドライン２５とピックアップ基台４１との接続がゆるむことがない。
【００３５】
図９は本発明の実施の第５形態である光ピックアップ装置におけるＦＰＣ基板４５の固定部分の構成を簡略化して示す平面図であり、図１０は図９に示す切断面線Ｘ−Ｘから見た断面図である。
【００３６】
本実施の形態の光ピックアップ装置は、固定部材５０に特徴を有する。固定部材５０は、押え部材４８とピックアップ基台４７とによって構成される。ピックアップ基台４７には、ＦＰＣ基板４５が装着される面に直交する一つの側面５１（以後、便宜上係合側面５１と呼ぶ）に、係合側面５１から突出して係合突起５２が形成される。
【００３７】
押え部材４８は、前述の実施形態の光ピックアップ装置と同様にステンレス鋼から成り、切断面線Ｘ−Ｘから見た形状が略Ｌ字状に形成される。押え部材４８は、略Ｌ字状の一辺４８ａが係合側面５１に当接し、他辺４８ｂがピックアップ基台４７に装着されるＦＰＣ基板４５を押えるように設けられる。押え部材４８の一辺４８ａには、長方形状に貫通孔が形成され、この貫通孔が係合凹所５３を構成する。押え部材４８は、係合凹所５３がピックアップ基台４７に形成される係合突起５２と係合するようにして、ピックアップ基台４７に装着固定される。
【００３８】
押え部材４８の他辺４８ｂには、ＦＰＣ基板４５に形成される開口部２４に対応する位置に、平面形状が略Ｕ字状の打抜き孔５４が形成される。略Ｕ字状の打抜き孔５４の残部として押え部材４８の他辺４８ａに形成される舌状片４９は、打抜き孔５４を打抜く際、ピックアップ基台４７に装着された状態においてＦＰＣ基板４５に向かって若干曲がるようにプレス加工される。この曲げプレス加工によって舌状片４９の弾性力が強化される。
【００３９】
押え部材４８の一辺４８ａに形成される係合凹所５３をピックアップ基台４７の係合突起５２に係合させて押え部材４８をピックアップ基台４７に装着するとき、押え部材４８の他辺４８ｂに形成される舌状片４９が、その弾性力によってＦＰＣ基板４５をピックアップ基台４７に対して押圧固定する。このように本実施の形態の光ピックアップ装置では、ねじ部材を用いることなく、押圧部材４８とピックアップ基台４７とによってＦＰＣ基板４５を固定することができる。また舌状片４９は、ＦＰＣ基板４５においてグランドライン４６が露出する開口部２４に対応する位置に形成されるので、その弾性力によってグランドライン４６をピックアップ基台４７に対して確実にグランドし、ゆるみを防止することができる。
【図面の簡単な説明】
【００４０】
【図１】本発明の実施の第１形態である光ピックアップ装置におけるＦＰＣ基板２０の固定部分の構成を簡略化して示す平面図である。
【図２】図１に示す切断面線ＩＩ−ＩＩから見た断面図である。
【図３】本発明の実施の第２形態である光ピックアップ装置におけるＦＰＣ基板２０の固定部分の構成を簡略化して示す平面図である。
【図４】図３に示す切断面線ＩＶ−ＩＶから見た断面図である。
【図５】本発明の実施の第３形態である光ピックアップ装置におけるＦＰＣ基板３５の固定部分の構成を簡略化して示す平面図である。
【図６】図５に示す切断面線ＶＩ−ＶＩから見た断面図である。
【図７】本発明の実施の第４形態である光ピックアップ装置におけるＦＰＣ基板２０の固定部分の構成を簡略化して示す平面図である。
【図８】図７に示す切断面線ＶＩＩＩ−ＶＩＩＩから見た断面図である。
【図９】本発明の実施の第５形態である光ピックアップ装置におけるＦＰＣ基板４５の固定部分の構成を簡略化して示す平面図である。
【図１０】図９に示す切断面線Ｘ−Ｘから見た断面図である。
【図１１】従来の光ピックアップ装置１の構成を簡略化して示す図であり、
【図１２】図１１に示す光ピックアップ装置１におけるＦＰＣ基板６の固定方法の概略を示す平面図である。
【図１３】図１２に示す切断面線ＸＩＩＩ−ＸＩＩＩから見た断面図である。
【符号の説明】
【００４１】
２０，３５，４５  ＦＰＣ基板
２１，４７  ピックアップ基台
２２，３１，４０，４８  押え部材
２３，５０  固定部材
２４，３６  開口部  
２５，４６  グランドライン
２６，３２  突出部
２７  雄ねじ部材
２８  雌ねじ部
３３  切欠部
４２  突起部
４９  舌状片
５２  係合突起
５３  係合凹所
【図１】
2005317132.tif 000003
【図２】
2005317132.tif 000004
【図３】
2005317132.tif 000005
【図４】
2005317132.tif 000006
【図５】
2005317132.tif 000007
【図６】
2005317132.tif 000008
【図７】
2005317132.tif 000009
【図８】
2005317132.tif 000010
【図９】
2005317132.tif 000011
【図１０】
2005317132.tif 000012
【図１１】
2005317132.tif 000013
【図１２】
2005317132.tif 000014
【図１３】
2005317132.tif 000015